(57)【要約】      （修正有）【課題】フレームが一対のガラス板を適切に支持できるようにする。【解決手段】外側フレーム５；６の外壁部１９；２９が内側フレーム４を外側から内側に押し、外側フレーム５；６の支持壁部２０；３０がガラス板２の周縁部を後方向に押し、外側フレーム５；６の支持壁部２１；３１がガラス板３の周縁部を前方向に押して、２枚のガラス板２；３の外縁部がガスケット７；８と間隔保持部１１と周壁部１２；１３と支持壁部２０；２１；３０；３１とに密接し、内側フレーム４の間隔保持部１１が２枚のガラス板２；３の前後方向への対向間隔を適切に保持し、外側フレーム５の支持壁部２０；２１及び外側フレーム６の支持壁部３０；３１が２枚のガラス板２；３を前後方向から互いに近づく方向に支持し、内側フレーム４と別体に構成された外側フレーム５；６とが２枚のガラス板２；３を対向させかつ接着剤の未使用下で支持している。【選択図】図３
2011083480.tif 000002
【特許請求の範囲】
【請求項１】
内側フレームと別体に形成された外側フレームとが複数のガラス板を対向させかつ接着剤の未使用下で支持したこと特徴とするパチンコ遊技機のガラスユニット。
【請求項２】
内側フレームに取付部が設けられ、外側フレームには取付部を挿入する取付挿入孔が設けられたことを特徴とする請求項１記載のパチンコ遊技機のガラスユニット。
【発明の詳細な説明】
【技術分野】
【０００１】
本発明は、ガラス板の支持が良好なパチンコ遊技機のガラスユニットに関する。
【背景技術】
【０００２】
図６は、特許文献２で開示されたガラスユニット６２を示す。図６において、２枚のガラス板６３；６４の周縁部がフレーム６５のガラス収容部６６に嵌め込まれることによって、ガラス板６３；６４の前後方向の対向間隔が保持され、フレーム６５がガラス板６３；６４を接着剤の未使用下で支持するようになっている。しかしながら、フレーム６５が２個のガラス収容部６６と間隔保持部６７とを備えた一体構造になっているので、ガラス収容部６６と間隔保持部６７とをそれぞれに適した材料で構成することができず、フレーム６５がガラス板６３；６４を適切に支持することができないという欠点がある。
【先行技術文献】
【特許文献】
【０００３】
【特許文献１】特開２００４−１６６８０４号公報
【特許文献２】特開２００５−２５３８７５号公報
【発明の概要】
【発明が解決しようとする課題】
【０００４】
発明が解決しようとする課題は、フレームが一対のガラス板を適切に支持することができないという点である。
【課題を解決するための手段】
【０００５】
本発明に係るパチンコ遊技機のガラスユニットは、内側フレームと別体に形成された外側フレームとが複数のガラス板を対向させかつ接着剤の未使用下で支持したことを最も主要な特徴とする。
【発明の効果】
【０００６】
本発明に係るパチンコ遊技機のガラスユニットは、ガラス板の対向間隔を保持する内側フレームとガラス板を支持する外側フレームとが別体に形成されているので、内側フレームとしてはガラス板の対向間隔を保持するのに適した材料を選ぶことができ、外側フレームとしてはガラス板を前後方向から互いに近づく方向に支持するのに適した材料を選ぶことができ、内側フレームにガラス板の対向間隔を保持するのに適した材料を使用し、外側フレームにガラス板を支持するのに適した材料を使用することによって、複数のガラス板の支持が良好になり、商品の品質向上につながるという利点がある。
【図面の簡単な説明】
【０００７】
【図１】実施の形態１に係るガラスユニットの分解斜視図。
【図２】図１の分解されたガラスユニットのＡ−Ａ線断面図。
【図３】組み立てられたガラスユニットのＡ−Ａ線断面図に相当する断面図。
【図４】実施の形態１に係るガラスユニットを備えたパチンコ遊技機の斜視図。
【図５】実施の形態２に係る外側フレームの結合部分の平面図。
【図６】従来のガラスユニットを示す断面図。
【発明を実施するための形態】
【０００８】
本明細書における「前」、「後」、「左」、「右」、「上」、「下」の方向は、図４の状態にパチンコ遊技機を置いて矢印Ｓで示す前側から見た場合に特定される方向である。
【０００９】
「実施の形態１」
図１及び図２を参照し、ガラスユニット１について説明する。図１において、ガラスユニット１は、構成部品として、２枚の透明なガラス板２；３、内側フレーム４、２個の外側フレーム５；６、２個のガスケット７；８、固定具９を備える。
【００１０】
内側フレーム４は、２枚のガラス板２；３の間に挟まれるのに適した材料としての合成樹脂又はゴムからなり、ガラス板２；３の周縁部を囲む環状に構成される。
【００１１】
図２にも示すように、内側フレーム４は、環状の間隔保持部１１と環状の周壁部１２；１３とを備える。一方の周壁部１２は、間隔保持部１１の外縁部から内側フレーム４の前後方向に延びる中心線に平行な一方向としての前方向に突出する。他方の周壁部１３は、間隔保持部１１の外縁部から内側フレーム４の前後方向に延びる中心線に平行な他方向としての後方向に突出する。間隔保持部１１の前面には、ガスケット受容部１４が間隔保持部１１の前面から後方向の内部への窪みとして設けられる。間隔保持部１１の後面には、ガスケット受容部１５が間隔保持部１１の後面から前方向の内部への窪みとして設けられる。双方のガスケット受容部１４；１５は、内側フレーム４を前方向又は後方向から見た場合に、環状になっている。
【００１２】
図１に戻り、間隔保持部１１の外周面には、取付部１６及び位置決め部１７が設けられる。取付部１６は、間隔保持部１１の外周面から間隔保持部１１の直径方向外側に突出し、かつ、間隔保持部１１の円周方向に延びる板状になっている。図１では、４個の取付部１６が間隔保持部１１の中心を挟んで対向するように、間隔保持部１１の円周方向に分かれて配置される。２個の位置決め部１７が、２個の取付部１６の間で、間隔保持部１１の円周方向に分かれて配置され、間隔保持部１１の外周面から間隔保持部１１の直径方向外側に突出し、かつ、間隔保持部１１の円周方向に延びる板状になっている。
【００１３】
一方の外側フレーム５は、２枚のガラス板２；３を外側から保持するのに適した材料としての金属又は合成樹脂からなり、弧状に構成される。具体的には、外側フレーム５は、弧状の外壁部１９と弧状の支持壁部２０；２１と板状の連結片２２；２３と取付挿入孔２４と位置決め挿入孔２５とを備える。一方の支持壁部２０は、外壁部１９の前縁部から外壁部１９の弧状の内側に突出する。他方の支持壁部２１は、外壁部１９の後縁部から外壁部１９の弧状の内側に突出する。双方の支持壁部２０；２１は、互いに平行に対向する。
【００１４】
図２に示すように、支持壁部２０；２１の外壁部１９から内側への突出寸法Ｈ１は、周壁部１２；１３の厚さＨ２よりも大きく（Ｈ１＞Ｈ２）、間隔保持部１１の厚さＨ３と同一（Ｈ１＝Ｈ３）になっている。周壁部１２；１３の厚さＨ２及び間隔保持部１１の厚さＨ３は、内側フレーム４の直径方向に平行する方向の寸法である。ガラス板２の前後方向の厚さＴ１は、周壁部１２の間隔保持部１１から前方向への突出寸法Ｔ２と同等か又は突出寸法Ｔ２よりも大きい（Ｔ１≧Ｔ２）。ガラス板３の前後方向の厚さＴ３は、周壁部１３の間隔保持部１１から後方向への突出寸法Ｔ４と同等か又は突出寸法Ｔ４よりも大きい（Ｔ３≧Ｔ４）。
【００１５】
図１に戻り、一方の連結片２２は、外壁部１９の一端部から外壁部１９の弧状の外側に突出する。連結片２２には、貫通孔２６が設けられる。他方の連結片２３は、外壁部１９の他端部から外壁部１９の弧状の外側に突出する。連結片２３には、貫通孔２７が設けられる。
【００１６】
取付挿入孔２４は、内側フレーム４の取付部１６を挿入する孔であって、外壁部１９の内側及び外側に貫通する。位置決め挿入孔２５は、内側フレーム４の位置決め部１７を挿入する孔であって、外壁部１９の内側及び外側に貫通する。
【００１７】
他方の外側フレーム６は、２枚のガラス板２；３を外側から保持するのに適した材料としての金属又は合成樹脂からなり、弧状に構成される。具体的には、外側フレーム６は、弧状の外壁部２９と弧状の支持壁部３０；３１と板状の連結片３２；３３と取付挿入孔３４とを備える。一方の支持壁部３０は、外壁部２９の前縁部から外壁部２９の弧状の内側に突出する。他方の支持壁部３０は、外壁部２９の後縁部から外壁部２９の弧状の内側に突出する。双方の外壁部２９；３０は、互いに平行に対向する。
【００１８】
図２に示すように、支持壁部３０；３１の外壁部２９から内側への突出寸法Ｈ４は、周壁部１２；１３の厚さＨ２よりも大きく（Ｈ４＞Ｈ２）、間隔保持部１１の厚さＨ３と同一（Ｈ４＝Ｈ３）になっている。
【００１９】
図１に戻り、一方の連結片３２は、外壁部２９の一端部から外壁部２９の弧状の外側に突出する。連結片３２には、貫通孔３５が設けられる。他方の連結片３３は、外壁部２９の他端部から外壁部２９の弧状の外側に突出する。連結片３３には、貫通孔３６が設けられる。
【００２０】
取付挿入孔３４は、内側フレーム４の取付部１６を挿入する孔であって、外壁部２９の内側及び外側に貫通する。一方の外側フレーム５と他方の外側フレーム６との相違点は、一方の外側フレーム５に位置決め挿入孔２５が設けられているのに対し、他方の外側フレーム６に位置決め挿入孔２５が設けられていないことである。
【００２１】
固定具９は、有頭螺子部材３８とナット３９とからなる。ガスケット７；８は、例えば、ゴム製のオーリングのような部材により構成される。
【００２２】
次に、図１及び図２を参照し、ガラスユニット１の組み立て方について説明する。図２において、２つの環状のガスケット７；８が１個ずつ内側フレーム４の環状のガスケット受容部１４；１５に収容される。次に、図１において、２枚のガラス板２；３の周縁部が１枚ずつガスケット７；８を覆うようにかつ内側フレーム４の間隔保持部１１を前後方向から挟むように環状の間隔保持部１１に配置される。これによって、２枚のガラス板２；３が互いに対向する内側面の周縁部がガスケット受容部１４；１５から前後方向に突出する部分に接触し、２枚のガラス板２；３の外周面が内側フレーム４の環状の周壁部１２；１３に接触する。
【００２３】
その後、２個の外側フレーム５；６が内側フレーム４及び２枚のガラス板２；３の周縁部を覆うように装着される。例えば、一方の外側フレーム５の弧状の内側が内側フレーム４の側に向けられ、一方の外側フレーム５が内側フレーム４の直径方向外側から内側フレーム４の側に移動されることによって、内側フレーム４の取付部１６の外側部が取付挿入孔２４を経由して外側フレーム５；６よりも外側に突出し、内側フレーム４の位置決め部１７の外側部が位置決め挿入孔２５を経由して外側フレーム５；６よりも外側に突出する。
【００２４】
また、他方の外側フレーム６の弧状の内側が内側フレーム４の側に向けられ、他方の外側フレーム６が内側フレーム４の直径方向外側から内側フレーム４の側に移動されることによって、内側フレーム４の取付部１６の外側部が取付挿入孔２４を経由して外側フレーム５；６よりも外側に突出する。これによって、一方の外側フレーム５の連結部２２；２３と他方の外側フレーム６の連結部３２；３３とが互いに内側フレーム４の円周方向で対向する。
【００２５】
最後に、有頭螺子部材３８の雄ねじ部が他方の外側フレーム６の連結部３２;３３の貫通孔３５；３６から一方の外側フレーム５の連結部２２；２３の貫通孔２６；２７に挿入され、ナット３９が一方の外側フレーム５の連結部２２；２３から外側に突出した有頭螺子部材３８の雄ねじ部に装着されることによって、一方の外側フレーム５と他方の外側フレーム６とが互いに連結されて１つの環状の外側フレームとして構成される。
【００２６】
このように一方の外側フレーム５と他方の外側フレーム６とが１つの環状の外側フレームを構成することによって、ガラスユニット１が図３に示す構造として組み立てられる。この組み立てられたガラスユニット１は、内側フレーム４と別体に形成された外側フレーム５；６とが２枚のガラス板２；３を前後方向に対向間隔だけ離れて対向させかつ接着剤の未使用下で支持した構造になっている。よって、外側フレーム５；６を取り外すことによって、ガラス板２；３、内側フレーム４、外側フレーム５；６、ガスケット７；８、固定具９に分解することができるので、例えば、ガラス板２；３と内側フレーム４とで囲まれる空間にごみが侵入したり、ガラス板２；３の対向面が汚れたりした場合において、ガラスユニット１を分解して上記ごみや汚れを除去した後、再び、組み立てることによって、常に正常な状態でガラスユニット１を使用することができ、ガラスユニット１の品質向上につながる。また、ガラスユニット１が使用済になった場合、ガラスユニット１を分解して、構成部品を材料ごとに分別することができるので、構成部品のリサイクルが適切に行える。
【００２７】
また、内側フレーム４と外側フレーム５；６とが互いに別体に形成されているので、内側フレーム４としてはガラス板２；３の対向間隔を保持するのに適した材料を選ぶことができ、外側フレーム５；６としてはガラス板２；３を前後方向から互いに近づく方向に支持するのに適した材料を選ぶことができる。このように内側フレーム４としてガラス板２；３の対向間隔を保持するのに適した材料を選び、外側フレーム５；６としてガラス板２；３を前後方向から互いに近づく方向に支持するのに適した材料を選ぶことによって、内側フレーム４と外側フレーム５；６とがガラス板２；３を適切に支持して商品の品質向上につながるという利点がある。
【００２８】
具体的には、図３において、一方の外側フレーム５と他方の外側フレーム６とから１つの環状として構成された外側フレームの外壁部１９；２９が内側フレーム４を外側から内側に押し、当該外側フレームの支持壁部２０；３０がガラス板２の周縁部の前面を後方向に押し、当該外側フレームの支持壁部２１；３１がガラス板３の周縁部の後面を前方向に押す。これによって、ガラス板２の周縁部の後面がガスケット７をガスケット受容部１４に収容するように圧縮しつつ間隔保持部１１の前面に接触し、ガラス板２の外周面が間隔保持部１１の周壁部１２の内面に接触し、ガラス板３の周縁部の前面がガスケット８をガスケット受容部１５に収容するように圧縮しつつ間隔保持部１１の後面に接触し、ガラス板３の外周面が間隔保持部１１の周壁部１３の内面に接触する。
【００２９】
つまり、一方の外側フレーム５と他方の外側フレーム６とから１つの環状として構成された外側フレームの外壁部１９；２９が内側フレーム４を外側から内側に押すことと、当該外側フレームの支持壁部２０；３０がガラス板２の周縁部を後方向に押すことと、当該外側フレームの支持壁部２１；３１がガラス板３の周縁部を前方向に押すこととによって、２枚のガラス板２；３の外縁部がガスケット７；８と間隔保持部１１と周壁部１２；１３と支持壁部２０；２１；３０；３１とに密接し、内側フレーム４の間隔保持部１１が２枚のガラス板２；３の前後方向への対向間隔を適切に保持し、外側フレーム５の支持壁部２０；２１及び外側フレーム６の支持壁部３０；３１が２枚のガラス板２；３を前後方向から互いに近づく方向に適切に支持できる。
【００３０】
また、内側フレーム４に設けられた取付部１６が取付挿入孔２４；３４を経由して外側フレーム５；６の外側に突出し、取付部１６の周囲が外側フレーム５；６で支持される構成であるので、取付部１６に相当する図外の取付部が外側フレーム５；６に設けられた構成に比べ、外側フレーム５；６が内側フレーム４を適切に支持できる。内側フレーム４に設けられた位置決め部１７が位置決め挿入孔２５を経由して外側フレーム５；６の外側に突出し、位置決め部１７の周囲が外側フレーム５；６で支持される構成であるので位置決め部１７に相当する図外の位置決め部が外側フレーム５；６に設けられた構成に比べ、外側フレーム５；６が内側フレーム４を適切に支持できる。
【００３１】
図４を参照し、ガラスユニット１を備えるパチンコ遊技機について説明する。パチンコ遊技機の遊技機枠４１は、外枠４２に本体枠４３をヒンジ４４で開閉可能に連結し、本体枠４３に前扉４５を図外のヒンジで開閉可能に連結した構成である。前扉４５にはガラスユニット１が次のように取り付けられる。ガラスユニット１が前扉４５に前後方向への貫通孔として設けられた窓４６を後方向から塞ぐように前扉４５の後面側に配置され、ガラスユニット１の位置決め部１７と前扉４５に設けられた位置決め部４７とが互いに嵌め込まれ、ロック部４８のロック片４９が取付部１６の後側に配置されるようにガラス板３の後面に平行する方向に回転操作されて取付部１６に係合する。ロック片４９が取付部１６に係合する場合、ロック片４９を支えるように前扉４５に設けられた支柱５０の周囲における前扉４５に設けられた図外の突起とロック片４９とによって取付部１６を前後方向から支持するように構成してもよい。以上によって、図４に示すように、ガラスユニット１が前扉４５に取り付けられて窓４６を塞ぐ。
【００３２】
また、遊技盤５１が本体枠４３に取り付けられ、ガラスユニット１を有する前扉４５が本体枠４３に開閉不能に閉じられて、パチンコ遊技機が構成される。このパチンコ遊技機においては、遊技盤５１の前側が前扉４５で覆われ、遊技盤５１の球の飛び交う遊技領域が遊技機枠４１の前側から前扉４５の窓４６及びガラスユニット１の透明なガラス板２；３の内側フレーム４及び外側フレーム５；６で囲まれた部分を通して視認可能になる。
【００３３】
「実施の形態２」
図５を参照し、一方の外側フレーム５と他方の外側フレーム６との結合部分の構造について説明する。図５において、外側フレーム６の他端部にはフック部５２が形成される。例えば、図１の連結片３３を外側フレーム６の他端部に設ける代わりに、フック部５２が設けられる。具体的には、フック部５２は、外側フレーム６の外壁部２９の支持壁部３０よりも外側フレーム５側に延設した部分の先端部が支持壁部３０の外側に折り曲げられた弧状になっている。外側フレーム５の一端部には締結具５３が設けられる。例えば、図１の連結片２３を外側フレーム５の一端部に設ける代わりに、連結具５３が設けられる。具体的には、締結具５３の操作部５４が外側フレーム６の外壁部２９に設けられた取付部５５に軸部材５６を回転中心として外壁部２９に近づく方向と外壁部２９から離れる方向とに回転し得るように連結される。操作部５４にはリング部材５７がリング軸部５８を回転中心として操作部５４に近づく方向と取付部５５に近づく方向とに回転し得るように連結される。
【００３４】
外側フレーム５の一端部と外側フレーム６の他端部とが互いに結合される場合について説明する。先ず、操作部５４が軸部材５６を回転中心として外壁部２９から離れる方向に操作され、リング部材５７のリング軸部５８に対向するリング係合部５９が外壁部２９から最も離れた状態において矢印Ｘ１で示すようにフック部５２に係留される。次に、操作部５４が矢印Ｘ２で示すように軸部材５６を回転中心として外壁部２９から離れる方向に操作されるのに伴って、リング部材５７がフック部５２を外側フレーム５の側に引っ張り、リング軸部５８が軸部材５６を外壁部１９の側に越えることによって、外側フレーム５の一端部と外側フレーム６の他端部とがフック部５２とそれに連結された締結具５３とによって互いに結合される。そして、操作部５４が矢印Ｘ２の方向の逆方向に操作されることによって、上記外側フレーム５の一端部と外側フレーム６の他端部との結合が解除される。
【００３５】
図１において、支持壁部２０；２１に図外の溝が形成されて、支持壁部２０；２１が外側フレーム５の円周方向に連続していなくてもよい。支持壁部３０；３１に図外の溝が形成されて、支持壁部３０；３１が外側フレーム６の円周方向に連続していなくてもよい。外側フレーム５から連結片２２が除去され、外側フレーム６から連結片３２が除去され、連結片２２の除去された外側フレーム５の一端部と連結片３２の除去された外側フレーム６の一端部とが互いに連結されたことによって、１つの環状の外側フレームとして構成されてもよい。その外側フレーム５と外側フレーム６とからなる１つの外側フレームにおいては、図１の連結片２３と連結片３３とが固定具９で互いに結合される。また、連結片２２から貫通孔２６が除去され、連結片３２から貫通孔３５が除去され、貫通孔２６の除去された連結片２２が外側フレーム５の一端部から外側の中央部の側に折り曲げられ、貫通孔３５の除去された連結片３２が外側フレーム６の一端部から外側フレーム５の外側に延長され、その延長端部が外側フレーム６の一端部の側の内側に折り曲げられ、この延長端部の外側フレーム６の一端部の側の内側に折り曲げられた部分と上記連結片２２の外側フレーム５の一端部から外側の中央部の側に折り曲げられた部分とが互いに連結されることによって、１つの環状の外側フレームとして構成されてもよい。外側フレーム５；６の個数は合計で２個に限定されるものではなく、外側フレーム５の一端部と外側フレーム６の一端部とが互いに連結された１個でも、２個以上に分割された３個以上でもよい。固定具９は、有頭螺子部材３８とナット３９とからなる以外の構造でもよい。ガスケット７；８は使用しなくてもよい。ガスケット７；８を使用しない場合、内側フレーム４にガスケット受容部１４；１５を設けなくてもよい。ガラス板２；３の枚数は２枚に限定されるものではなく、３枚以上であってもよい。例えば、ガラス板２；３が３枚である場合、２つの間隔保持部１１が前後方向に併設され、当該２つの間隔保持部１１が１つの周壁部１２又は１つの周壁部１３で互いに連結された構造になる。
【符号の説明】
【００３６】
１はガラスユニット、２；３はガラス板、４は内側フレーム、５；６は外側フレーム、７；８はガスケット、９は固定具、１０は欠番、１１は間隔保持部、１２；１３は周壁部、１４；１５はガスケット受容部、１６は取付部、１７は位置決め部、１８は欠番、１９は外壁部、２０；２１は支持壁部、２２；２３は連結片、２４は取付挿入孔、２５は位置決め挿入孔、２６；２７は貫通孔、２８は欠番、２９は外壁部、３０；３１は支持壁部、３２；３３は連結片、３４は取付挿入孔、３５；３６は貫通孔、３８は有頭螺子部材、３９はナット、４０は欠番、４１は遊技機枠、４２は外枠、４３は本体枠、４４はヒンジ、４５は前扉、４６は窓、４７は位置決め部、４８はロック部、４９はロック片、５０は支柱、５１は遊技盤、５２はフック部、５３は締結具、５４は操作部、５５は取付部、５６は軸部材、５７はリング部材、５８はリング軸部、５９はリング係合部、６０；６１は欠番、６２はガラスユニット、６３；６４はガラス板、６５はフレーム、６６はガラス収容部、６７は間隔保持部。
【図１】
2011083480.tif 000003
【図２】
2011083480.tif 000004
【図３】
2011083480.tif 000005
【図４】
2011083480.tif 000006
【図５】
2011083480.tif 000007
【図６】
2011083480.tif 000008